(57)【要約】【課題】他の機器との間でコンテンツ情報を簡単に取得・交換する。【解決手段】携帯型コンテンツ再生装置１０にアドホック無線機能を担うアドホック無線装置１１を装備する。アドホック無線機能によって、コンテンツの取得・蓄積元、コンテンツの制作元、コンテンツの制作年、コンテンツのジャンル、コンテンツの演奏家等の名称、コンテンツ再生頻度・再生時期、コンテンツの著作権に関する情報といったコンテンツ情報を取得又は交換する。【選択図】図１
2007219653.tif 000002
【特許請求の範囲】
【請求項１】
アドホック無線通信機能を装備し、近傍にある機器の要求に基づいてコンテンツ情報を送信することを特徴とする携帯型コンテンツ再生装置。
【請求項２】
アドホック無線通信機能を装備し、近傍にある機器に対してコンテンツ情報の取得要求をすることを特徴とする携帯型コンテンツ再生装置。
【請求項３】
アドホック無線通信機能を装備し、近傍にある機器との間でコンテンツ情報を交換することを特徴とする携帯型コンテンツ再生装置。
【請求項４】
前記機器は、他の携帯型コンテンツ再生装置であることを特徴とする請求項２又は請求項３記載の携帯型コンテンツ再生装置。
【請求項５】
情報蓄積領域に、コンテンツ自体を蓄積するコンテンツ領域と、コンテンツ情報を蓄積するデータベース領域とを備えた携帯型コンテンツ再生装置であって、
アドホック無線通信機能を装備し、近傍にある機器の要求に基づいて、前記データベース領域に蓄積されたコンテンツ情報を送信することを特徴とする携帯型コンテンツ再生装置。
【請求項６】
前記要求に基づいて送信するコンテンツ情報を制限する設定が可能であることを特徴とする請求項１又は請求項５記載の携帯型コンテンツ再生装置。
【請求項７】
情報蓄積領域に、コンテンツ自体を蓄積するコンテンツ領域と、コンテンツ情報を蓄積するデータベース領域とを備えた携帯型コンテンツ再生装置であって、
アドホック無線通信機能を装備し、近傍にある他の同様の携帯型コンテンツ再生装置との間で、データベース領域に蓄積されたコンテンツ情報を交換することを特徴とする携帯型コンテンツ再生装置。
【請求項８】
前記交換のために送信するコンテンツ情報を制限する設定が可能であることを特徴とする請求項３又は請求項７記載の携帯型コンテンツ再生装置。
【請求項９】
アドホック無線通信機能を装備し、近傍にある携帯型コンテンツ再生装置に対してコンテンツ情報の取得要求をすることを特徴とする機器。
【請求項１０】
アドホック無線通信機能を装備した少なくとも１台の携帯型コンテンツ再生装置と、アドホック無線通信機能を装備した機器とで構成され、前記機器が、近傍にある前記携帯型コンテンツ再生装置に対してコンテンツ情報の取得要求をし、前記携帯型コンテンツ再生装置が、近傍にある前記機器の要求に基づいてコンテンツ情報を送信することを特徴とするコンテンツ情報通信システム。
【請求項１１】
アドホック無線通信機能を装備し、かつ、情報蓄積領域に、コンテンツ自体を蓄積するコンテンツ領域と、コンテンツ情報を蓄積するデータベース領域とを備えた少なくとも２台の携帯型コンテンツ再生装置同士で相互通信するシステムであって、
任意の前記携帯型コンテンツ再生装置と、近傍にある他の前記携帯型コンテンツ再生装置との間で、前記データベース領域に蓄積されたコンテンツ情報を交換することを特徴とするコンテンツ情報通信システム。
【発明の詳細な説明】
【技術分野】
【０００１】
本発明は携帯型コンテンツ再生装置に関する。
【背景技術】
【０００２】
近年、携帯型音楽プレイヤーに代表される携帯型コンテンツ再生装置は、市場に広まりつつある。さらに、コンテンツとして映像を蓄積・再生できるようになるなど、携帯型コンテンツ再生装置の性能向上には著しいものがある。
【０００３】
これに関連した先行技術文献として、例えば、特許文献１に示すものがある。
【特許文献１】特開２００３−１９６４９１号公報
【発明の開示】
【発明が解決しようとする課題】
【０００４】
しかしながら、従来の携帯型コンテンツ再生装置には、個々に携帯型コンテンツ再生装置を調べない限り、コンテンツ情報を取得・交換することができない、という課題があった。
【０００５】
すなわち、それぞれの携帯型コンテンツ再生装置に、どのようなコンテンツがどこから蓄積され、また、どのような頻度で再生されているかといったコンテンツ情報については、個々に携帯型コンテンツ再生装置を調べない限り、知ることはできなかった。
【０００６】
本発明は、上記課題を解決するために為されたものであり、個々に携帯型コンテンツ再生装置を調べることなく、コンテンツ情報を取得又は交換することのできる携帯型コンテンツ再生装置を提供することを目的とする。
【課題を解決するための手段】
【０００７】
本発明の請求項１に係る携帯型コンテンツ再生装置は、アドホック無線通信機能を装備し、近傍にある機器の要求に基づいてコンテンツ情報を送信することを特徴とするものである。
【０００８】
本発明の請求項２に係る携帯型コンテンツ再生装置は、アドホック無線通信機能を装備し、近傍にある機器に対してコンテンツ情報の取得要求をすることを特徴とするものである。
【０００９】
本発明の請求項３に係る携帯型コンテンツ再生装置は、アドホック無線通信機能を装備し、近傍にある機器との間でコンテンツ情報を交換することを特徴とするものである。
【００１０】
本発明の請求項４に係る携帯型コンテンツ再生装置は、請求項２又は請求項３記載の携帯型コンテンツ再生装置において、前記機器は、他の携帯型コンテンツ再生装置であることを特徴とするものである。
【００１１】
本発明の請求項５に係る携帯型コンテンツ再生装置は、情報蓄積領域に、コンテンツ自体を蓄積するコンテンツ領域と、コンテンツ情報を蓄積するデータベース領域とを備えた携帯型コンテンツ再生装置であって、アドホック無線通信機能を装備し、近傍にある機器の要求に基づいて、前記データベース領域に蓄積されたコンテンツ情報を送信することを特徴とするものである。
【００１２】
本発明の請求項６に係る携帯型コンテンツ再生装置は、請求項１又は請求項５記載の携帯型コンテンツ再生装置において、前記要求に基づいて送信するコンテンツ情報を制限する設定が可能であることを特徴とするものである。
【００１３】
本発明の請求項７に係る携帯型コンテンツ再生装置は、情報蓄積領域に、コンテンツ自体を蓄積するコンテンツ領域と、コンテンツ情報を蓄積するデータベース領域とを備えた携帯型コンテンツ再生装置であって、アドホック無線通信機能を装備し、近傍にある他の同様の携帯型コンテンツ再生装置との間で、データベース領域に蓄積されたコンテンツ情報を交換することを特徴とするものである。
【００１４】
本発明の請求項８に係る携帯型コンテンツ再生装置は、請求項３又は請求項７記載の携帯型コンテンツ再生装置において、前記交換のために送信するコンテンツ情報を制限する設定が可能であることを特徴とするものである。
【００１５】
本発明の請求項９に係る機器は、アドホック無線通信機能を装備し、近傍にある携帯型コンテンツ再生装置に対してコンテンツ情報の取得要求をすることを特徴とするものである。
【００１６】
本発明の請求項１０に係るコンテンツ情報通信システムは、アドホック無線通信機能を装備した少なくとも１台の携帯型コンテンツ再生装置と、アドホック無線通信機能を装備した機器とで構成され、前記機器が、近傍にある前記携帯型コンテンツ再生装置に対してコンテンツ情報の取得要求をし、前記携帯型コンテンツ再生装置が、近傍にある前記機器の要求に基づいてコンテンツ情報を送信することを特徴とするものである。
【００１７】
本発明の請求項１１に係るコンテンツ情報通信システムは、アドホック無線通信機能を装備し、かつ、情報蓄積領域に、コンテンツ自体を蓄積するコンテンツ領域と、コンテンツ情報を蓄積するデータベース領域とを備えた少なくとも２台の携帯型コンテンツ再生装置同士で相互通信するシステムであって、任意の前記携帯型コンテンツ再生装置と、近傍にある他の前記携帯型コンテンツ再生装置との間で、前記データベース領域に蓄積されたコンテンツ情報を交換することを特徴とするものである。
【発明の効果】
【００１８】
本発明は以上のように、アドホック無線通信機能を装備し、近傍にある機器の要求に基づいてコンテンツ情報を送信するように構成したので、個々に携帯型コンテンツ再生装置を調べることなく、コンテンツ情報を取得又は交換することができる。
【発明を実施するための最良の形態】
【００１９】
本発明の実施の形態を、図面を参照して説明する。
【００２０】
図１は、本発明による携帯型コンテンツ再生装置を用いるコンテンツ情報通信システムの一実施形態を示す基本的（概略的）ブロック構成図である。
【００２１】
このコンテンツ情報通信システム１は、携帯型コンテンツ再生装置１０と、他の機器５０とで構成される。
【００２２】
携帯型コンテンツ再生装置１０には、アドホック無線機能を担うアドホック無線装置（アドホック無線通信機能部／無線通信装置）１１が装備されている。また、他の機器５０にも同様に、アドホック無線機能を担うアドホック無線装置（アドホック無線通信機能部／無線通信装置）５１が装備されている。
【００２３】
アドホック無線とは、携帯電話にたとえれば、基地局を介することなく、携帯端末同士で通信する無線技術であって、携帯型コンテンツ再生装置１０と他の機器５０が接近すると、相互に通信できるようになる。
【００２４】
アドホック無線機能を担うアドホック無線装置１１と５１を利用することによって、携帯型コンテンツ再生装置１０と他の機器５０は、コンテンツ情報を取得又は交換することが可能になる。
【００２５】
コンテンツ情報には、コンテンツの取得・蓄積元、コンテンツの制作元、コンテンツの制作年、コンテンツのジャンル、コンテンツの演奏家等の名称、コンテンツの再生頻度・再生時期、その他コンテンツの著作権に関する情報といった情報が含まれる。
【００２６】
本発明の携帯型コンテンツ再生装置１０を利用し、コンテンツ情報を交換するシステムのうち、他の機器５０をコンテンツ提供者が設置すれば、コンテンツ提供者には次のような利便がもたらされる。
【００２７】
第一は、携帯型コンテンツ再生装置１０にどのようなコンテンツが蓄積されているかについて、マーケティング情報を取得することができるという利便である。
【００２８】
例えば、繁華街にその他の機器５０を設置し、その前を行く多くの携帯型コンテンツ再生装置１０に蓄積されているコンテンツ情報を取得すれば、多くの所有者の購買行動等を明らかにすることができる。
【００２９】
第二は、もし携帯型コンテンツ再生装置１０にクラシック楽曲が多く蓄積されているならばクラシック楽曲に関するマーケティング情報を、もし携帯型コンテンツ再生装置１０にサッカーの試合映像が多く蓄積されているならばサッカーの試合映像に関するマーケティング情報を、それぞれ送信するというように、きめ細かに携帯型コンテンツ再生装置１０にマーケティング情報を送信することができるという利便である。
【００３０】
第三は、他の機器５０によって取得したコンテンツの取得・蓄積元、コンテンツの制作元、コンテンツの演奏家等の名称、その他コンテンツの著作権に関する情報等を調査することによって、不法に取得・蓄積されたコンテンツを発見することができるという利便である。
【００３１】
上記のように他の機器５０から送信されてくるマーケティング情報は、携帯型コンテンツ再生装置１０の所有者にとっては、次に取得・蓄積すべきコンテンツに関して、簡単に情報を取得することができるという利便をもたらす。
【００３２】
さらに、他の機器５０が他の者によって所有された携帯型コンテンツ再生装置１０である場合には、その他の者との間で、それぞれが興味を持つコンテンツ情報を提供しあうことができるという利便をもたらす。
【００３３】
すなわち、コンテンツのジャンルやコンテンツの演奏家等の名称、コンテンツの再生頻度・再生時期といった情報を交換することによって、そのコンテンツに関するファンが、同士を見つけることが容易になる。
【００３４】
また他の携帯型コンテンツ再生装置１０の所有者が取得・蓄積しているコンテンツ情報から、次の取得・蓄積すべきコンテンツに関して、簡単に情報を取得することができるという利便ももたらされる。
【００３５】
以上のように、本発明によれば、個々に携帯型コンテンツ再生装置を調べることなく、コンテンツ情報を取得又は交換することができ、これによって、コンテンツ提供者と携帯型コンテンツ再生装置１０の所有者双方の利便を向上させることができる。
【００３６】
ここで、本発明のように、携帯型コンテンツ再生装置１０にアドホック無線通信機能１１を装備させることで懸念が予測される事項と、本発明によるその対処について説明する。
【００３７】
第一の懸念は、コンテンツそのものについても取得又は交換できる結果となって、利用者が不正に複製コンテンツを取得・蓄積する虞れがあるのではないかという点である。
【００３８】
第二の懸念は、コンテンツ情報には、コンテンツの取得・蓄積元、コンテンツの制作元、コンテンツの制作年、コンテンツのジャンル、コンテンツの演奏家等の名称、コンテンツの再生頻度・再生時期、その他コンテンツの著作権に関する情報といった情報が含まれるから、それらを取得又は交換することは、携帯型コンテンツ再生装置１０の利用者のプライバシーを取得又は交換すると批判される虞れがあるのではないかという点である。
【００３９】
本発明では、図１には示してないが、携帯型コンテンツ再生装置１０内の情報蓄積領域に、コンテンツ自体を蓄積するコンテンツ領域と、コンテンツ情報を蓄積するデータベース領域とを分けてある。そして、基本的にはデータベース領域の情報だけを取得又は交換可能に構成することで、第一の懸念の解消を実現している。
【００４０】
但し、コンテンツ提供者が、例えば新着コンテンツを携帯型コンテンツ再生装置１０の利用者に視聴させたいと望んだときには、コンテンツそのものの一部を携帯型コンテンツ再生装置１０に対して送り出す（送り込む）ことは可能である。
【００４１】
また、本発明では、図１には示してないが、携帯型コンテンツ再生装置１０に、利用者が、データベース領域の中にあるコンテンツ情報のうち、取得又は交換のために送信するコンテンツ情報を制限する設定が可能に構成することで、第二の懸念の解消を実現している。
【００４２】
すなわち、利用者が、データベース領域の中にあるコンテンツ情報のうち、どのジャンルの情報だけを取得又は交換させることを許容するのか自分で設定することができ、さらに取得又は交換は一切許容しないという設定もできるようにしてある。
【００４３】
さらに、携帯型コンテンツ再生装置１０の利用者が、コンテンツ情報に加えて個人情報（性別、年齢、取得したい情報の種類など）も取得又は交換させることを認める設定も可能に構成することができる。
【００４４】
携帯型コンテンツ再生装置１０をそのように構成すれば、例えば、個人情報として“女性”、“２０代”、“洋服”が登録されていると、そんな若い女性にお薦めの洋服を販売しているブティックの前を通ると、新着の洋服やバーゲン情報が携帯型コンテンツ再生装置１０に送られてくるといった、新たな利用方法（新しいサービス）が生まれる。
【００４５】
図２は、携帯型コンテンツ再生装置１０の内部構成の具体例を示すブロック図である。
【００４６】
携帯型コンテンツ再生装置１０内部には、無線通信装置１１、演算装置１２、主記憶装置１３と補助記憶装置１４が備えてある。
【００４７】
無線通信装置１１には、無線通信装置の固体番号が付与され、通信先を識別したり無線通信をしたりといった通信ソフトを実行する装置である。またこの装置は通信する情報を暗号化する機能を担っている。利用者は自らの意思で通信を禁止することができるようになっている。
【００４８】
演算装置１２には、演算装置１２の固体番号が付与され、各種の制御ソフトを実行し、またコンテンツを再生する機能を果たす。携帯型コンテンツ再生装置１０に内蔵されている情報の暗号化の演算も、演算装置１２が実行する。
【００４９】
主記憶装置１３には、携帯型コンテンツ再生装置１０全体としての固有番号が付与され、また携帯型コンテンツ再生装置１０全体の管理ソフトが記憶されている。
【００５０】
補助記憶装置１４は、公開情報を記憶する公開情報記憶部１５、準公開情報を記憶する準公開情報記憶部１６、非公開情報を記憶する非公開情報記憶部１７に三分割されている。
【００５１】
そして、公開情報記憶部１５には、公開コンテンツ情報を記憶するデータベース領域と公開コンテンツを記憶するコンテンツ領域が、また、準公開情報記憶部１６には、準公開コンテンツ情報を記憶するデータベース領域と準公開コンテンツを記憶するコンテンツ領域が、また、非公開情報記憶部１７には、非公開コンテンツ情報を記憶するデータベース領域と非公開コンテンツを記憶するコンテンツ領域が、それぞれ設定されている。
【００５２】
公開情報記憶部１５にある情報は暗号化されておらず、そこにある情報を外部に送信し、また外部から情報を取得することができる。
【００５３】
準公開情報記憶部１６にある情報は、たとえば演算装置１２の固体番号を鍵として暗号化が施されている。蓄積された情報をそのまま外部の装置にコピーしても、それを読み取ろうとするときに、鍵となる演算装置１２の固体番号がわからなければ、情報の暗号を解くことはできない設定となっている。なお、演算装置１２の固体番号を鍵とせず、携帯型コンテンツ再生装置１０全体の固体番号を鍵としても構わない。
【００５４】
利用者が任意に、公開可能と設定した準公開コンテンツ情報と準公開コンテンツが他の機器に対して送信されるようになっている。利用者が任意に、公開しないと設定した準公開コンテンツ情報と準公開コンテンツは、他の機器に対して送信されない。
【００５５】
非公開情報記憶部１７にある情報は、たとえば演算装置１２の固体番号と携帯型コンテンツ再生装置１０全体の固体番号の二つを鍵として暗号化が施されている。情報を読み取ることができるのは、二つの鍵が一致した場合に限られている。
【００５６】
コンテンツ提供者が携帯型コンテンツ再生装置１０に提供したコンテンツが、携帯型コンテンツ再生装置利用者間で自由に交換されないように、コンテンツ提供者がコントロールしたいときには、そのコンテンツは非公開情報記憶部１７に記憶されるように、演算装置１２で制御ソフトを実行すればよい。
【００５７】
広告などの目的を持って、コンテンツ提供者が携帯型コンテンツ再生装置１０に提供したコンテンツが、携帯型コンテンツ再生装置利用者間で自由に交換されるように、コンテンツ提供者がコントロールしたいときには、そのコンテンツは公開情報記憶部１５に記憶されるように、演算装置１２で制御ソフトを実行すればよい。
【００５８】
携帯型コンテンツ再生装置利用者が、自己の保有するコンテンツ情報を他に開示しないようにするには、無線通信装置１１が機能しないように、携帯型コンテンツ再生装置１０を設定しておけばよい。また、準公開情報に分類される情報について、外部からのアクセスを禁止するように、自ら設定しておけばよい。
【００５９】
図３は、携帯型コンテンツ再生装置１０等の間の通信の具体例を示す説明図である。
【００６０】
携帯型コンテンツ再生装置２０、３０、４０はいずれも、携帯型コンテンツ再生装置１０と同様のものであり、図示してないが、無線通信装置１１、演算装置１２、主記憶装置１３及び補助記憶装置１４と同様の構成を備えている。
【００６１】
携帯型コンテンツ再生装置１０、２０、３０、４０は、それぞれ利用者Ａ、Ｂ、Ｃ、Ｄによって利用されている。
【００６２】
利用者Ａは、利用する携帯型コンテンツ再生装置１０について、無線通信装置１１を動作しないように設定している。
【００６３】
利用者Ｂは、利用する携帯型コンテンツ再生装置２０について、一部のコンテンツ情報だけを限定して送信可に、また、コンテンツ情報と公開コンテンツの取得は不可に設定している。
【００６４】
利用者Ｃは、利用する携帯型コンテンツ再生装置３０について、コンテンツ情報を送信可に、また、コンテンツ情報と公開コンテンツを取得可に設定している。
【００６５】
利用者Ｄは、利用する携帯型コンテンツ再生装置４０について、コンテンツ情報と公開コンテンツを送信可に、また、コンテンツ情報と公開コンテンツを取得可に設定している。
【００６６】
コンテンツ提供者が、これら携帯型コンテンツ再生装置１０、２０、３０、４０と通信可能な他の機器５０を設置し、その機器５０は、携帯型コンテンツ再生装置利用者のコンテンツ情報を取得可とし、取得したコンテンツ情報を分析して、広告等特定の目的に適切と判断できる意図した趣向を持った利用者には、コンテンツ情報と公開コンテンツ情報を提供できるように、設定されている。
【００６７】
携帯型コンテンツ再生装置１０は、利用者Ａにより、通信禁止に設定されているので、コンテンツ提供者の設定した他の機器５０とも、携帯型コンテンツ再生装置３０とも通信することはできない。
【００６８】
携帯型コンテンツ再生装置２０は、利用者Ｂにより、一部のコンテンツ情報だけを限定して送信可に、また、コンテンツ情報と公開コンテンツの取得は不可に設定されている。このため、コンテンツ提供者は、利用者Ｂのコンテンツ情報の一部を取得することができるが、それによって利用者Ｂが意図した趣向を持っていると判断できても、コンテンツ情報と公開コンテンツを携帯型コンテンツ再生装置２０に送信することはできない。
【００６９】
携帯型コンテンツ再生装置３０は、利用者Ｃにより、コンテンツ情報を送信可に、また、コンテンツ情報と公開コンテンツを取得可に設定されている。このため、コンテンツ提供者は、利用者Ｃのコンテンツ情報を取得することができ、それによって利用者Ｃが意図した趣向を持っていると判断できたときには、コンテンツ情報と公開コンテンツを携帯型コンテンツ再生装置３０に送信することができる。
【００７０】
携帯型コンテンツ再生装置４０は、利用者Ｄにより、コンテンツ情報と公開コンテンツを送信可に、また、コンテンツ情報と公開コンテンツを取得可に設定されている。
【００７１】
一方、携帯型コンテンツ再生装置３０は、コンテンツ情報を送信可に、また、コンテンツ情報と公開コンテンツを取得可に設定されている。このため、携帯型コンテンツ再生装置３０と携帯型コンテンツ再生装置４０は、コンテンツ情報を相互に交換し、また、携帯型コンテンツ再生装置４０から携帯型コンテンツ再生装置３０に対して、公開コンテンツが送信される。
【００７２】
他方、携帯型コンテンツ再生装置２０は、一部のコンテンツ情報だけを限定して送信可に、また、コンテンツ情報と公開コンテンツの取得は不可に設定されている。このため、携帯型コンテンツ再生装置２０から携帯型コンテンツ再生装置４０に一部のコンテンツ情報が送信され、携帯型コンテンツ再生装置４０から携帯型コンテンツ再生装置２０にはコンテンツ情報が送信されるが、携帯型コンテンツ再生装置４０から携帯型コンテンツ再生装置２０に公開コンテンツが送信されることはない。
【００７３】
携帯型コンテンツ再生装置３０と携帯型コンテンツ再生装置２０の間では、携帯型コンテンツ再生装置２０から携帯型コンテンツ再生装置３０に一部のコンテンツ情報が送信され、携帯型コンテンツ再生装置３０から携帯型コンテンツ再生装置２０にはコンテンツ情報が送信される。
【実施例】
【００７４】
携帯型音楽プレイヤーなどの携帯型コンテンツ再生装置１０に装備するアドホック無線機能については、無線ＬＡＮ技術を利用することができる。ＩＥＥＥで標準化された８０２．１１ｇと呼ばれる無線ＬＡＮ技術には、アドホック無線機能が規定され、８０２．１１ｇ準拠の無線装置にはアドホック無線機能が標準装備となっている。また、その他の無線技術でも、アドホック無線機能が用意されるようになっているので、本発明を実施する際には、それらの中から選択すればよい。
【００７５】
他の機器５０に装備するアドホック無線機能についても同様である。
【産業上の利用可能性】
【００７６】
本発明は、コンテンツ情報を簡単に取得又は交換する方法を提供するものであって、携帯型コンテンツ再生装置の市場発展に利用することができる。
【図面の簡単な説明】
【００７７】
【図１】本発明による携帯型コンテンツ再生装置を用いるコンテンツ情報通信システムの一実施形態を示す基本的（概略的）ブロック構成図である。
【図２】携帯型コンテンツ再生装置の内部構成の具体例を示すブロック図である。
【図３】携帯型コンテンツ再生装置等の間の通信の具体例を示す説明図である。
【符号の説明】
【００７８】
１  コンテンツ情報通信システム
１０  携帯型コンテンツ再生装置
１１  アドホック無線装置（アドホック無線通信機能部／無線通信装置）
１２  演算装置
１３  主記憶装置
１４  補助記憶装置
１５  公開情報記憶部
１６  準公開情報記憶部
１７  非公開情報記憶部
２０，３０，４０  携帯型コンテンツ再生装置
５０  機器
５１  アドホック無線装置（アドホック無線通信機能部／無線通信装置）
【図１】
2007219653.tif 000003
【図２】
2007219653.tif 000004
【図３】
2007219653.tif 000005